(57)【要約】【課題】携帯端末を必要に応じて分解可能な筐体を有する、組立容易なものにする。【解決手段】透明のフロントパネル２が正面側に設けられた前側筐体３の背面にタッチパネル４及び液晶表示装置５を貼り付け、前側筐体３における、タッチパネル用フレキシブル基板４ａ及び液晶用フレキシブル基板５ａが設けられていない上側に筐体側ボス部を設け、前側筐体３に嵌合される、液晶表示装置５の背面側のボス部品６の下側に別体ボス部６ｂを設け、筐体側ボス部及び別体ボス部にビス８を締結して前側筐体３と後側筐体９とを結合する。【選択図】図１
2014220733.tif 000002
【特許請求の範囲】
【請求項１】
透明又は半透明のフロントパネルが正面側に設けられた前側筐体と、
上記前側筐体の背面に貼り付け又は取り付けされる表示装置又は入力装置と、
上記表示装置又は入力装置の一方側から延びる信号線と、
上記前側筐体における、上記信号線が設けられていない側に形成した筐体側ボス部と、
上記表示装置又は入力装置の背面側に設けられ、上記前側筐体に嵌合されると共に、上記信号線が延びる側に別体ボス部を有するボス部品と、
上記筐体側ボス部及び別体ボス部にビスを締結することで上記前側筐体に結合される後側筐体とを備えている
ことを特徴とする携帯端末。
【請求項２】
請求項１に記載の携帯端末において、
上記ボス部品は、上記前側筐体の被係合部に対して嵌め込まれる係合部を有する
ことを特徴とする携帯端末。
【請求項３】
請求項１又は２に記載の携帯端末において、
上記ボス部品は、薄板状のフレームがインサート成形され、上記別体ボス部は、該フレーム周縁の樹脂部分に形成されている
ことを特徴とする携帯端末。
【請求項４】
請求項１から３までのいずれか１つに記載の携帯端末において、
上記表示装置又は入力装置は、タッチパネルと液晶表示装置とを有し、
上記信号線は、上記タッチパネルから延びるタッチパネル用フレキシブル基板と、上記液晶表示装置から延びる液晶用フレキシブル基板とよりなる
ことを特徴とする携帯端末。
【請求項５】
請求項４に記載の携帯端末において、
上記タッチパネル用フレキシブル基板及び液晶用フレキシブル基板は、上記ボス部品の背面側に設けられたメイン基板に接続されている
ことを特徴とする携帯端末。
【発明の詳細な説明】
【技術分野】
【０００１】
本発明は、透明又は半透明のフロントパネルが正面側に設けられた前側筐体と、この前側筐体の背面に貼り付け又は取り付けされる表示装置又は入力装置とを有する携帯端末に関するものである。
【背景技術】
【０００２】
従来より、例えば特許文献１のように、筐体を形成する一対のケースが、樹脂成形した樹脂ケースと、金属により形成した金属ケースとを嵌合して構成する携帯端末は知られている。金属ケースは、その内側に接合された補強板を介して他の樹脂ケースに固着されて筐体を形成している。この際、補強板には、樹脂ケースを嵌合してネジにより螺合して固着するボスを一体に形成している。
【先行技術文献】
【特許文献】
【０００３】
【特許文献１】特開２００４−７２６２号公報
【発明の概要】
【発明が解決しようとする課題】
【０００４】
近年、表示領域の拡大化、タッチパネルのニーズなどから、例えば前側筐体に透明なフロントパネルをインサート成形することが行われている。この場合、フロントパネルの背面側からタッチパネル及び液晶表示装置を貼り付け又は取り付けなければならない。
【０００５】
このような構成では、上記特許文献１のようにボス部が形成されていると、タッチパネル及び液晶表示装置から延びるフレキシブル基板等よりなる信号線がボス部に当接してタッチパネル及び液晶表示装置をフロントパネルに貼り付けることが困難となり、組立作業に手間取るという問題がある。
【０００６】
本発明は、かかる点に鑑みてなされたものであり、その目的とするところは、必要に応じて分解可能な筐体を有する組立容易な携帯端末を得ることにある。
【課題を解決するための手段】
【０００７】
上記の目的を達成するために、この発明では、一部のボス部を前側筐体とは別体のボス部品に設けた。
【０００８】
具体的には、本発明の携帯端末は、
透明又は半透明のフロントパネルが正面側に設けられた前側筐体と、
上記前側筐体の背面に貼り付け又は取り付けされる表示装置又は入力装置と、
上記表示装置又は入力装置の一方側から延びる信号線と、
上記前側筐体における、上記信号線が設けられていない側に形成した筐体側ボス部と、
上記表示装置又は入力装置の背面側に設けられ、上記前側筐体に嵌合されると共に、上記信号線が延びる側に別体ボス部を有するボス部品と、
上記筐体側ボス部及び別体ボス部にビスを締結することで上記前側筐体に結合される後側筐体とを備えている。
【０００９】
上記の構成によると、前側筐体における信号線が設けられる側にはボス部を設けていないので、表示装置又は入力装置を前側筐体の背面に貼り付け又は取り付けるときに、その信号線を配線する作業が極めて容易である。また、別体ボス部をボス部品に設け、そのボス部品を前側筐体に嵌合させることで、前側筐体に設けた筐体側ボス部と別体ボス部とで、後側筐体をビスにて結合することができ、必要に応じてビスを取り外せば、筐体の分解が可能となる。
【発明の効果】
【００１０】
以上説明したように、本発明によれば、前側筐体に形成した筐体側ボス部と、この前側筐体に嵌合されるボス部品の信号線が延びる側に設けた別体ボス部とにビスを締結して前側筐体と後側筐体とを結合するようにしたことにより、組立容易で且つ必要に応じて分解可能な筐体を有する携帯端末を得ることができる。
【図面の簡単な説明】
【００１１】
【図１】（ａ）は、本発明の実施形態に係る携帯電話機の一部を示す正面図であり、（ｂ）は、そのIb−Ib線断面図である。
【図２】本発明の実施形態に係る携帯電話機を示し、（ａ）が正面から見た斜視図で、（ｂ）が背面から見た斜視図である。
【図３】携帯電話機を背面側から見た分解斜視図である。
【図４】ボス部品を示し、（ａ）が正面から見た斜視図で、（ｂ）が背面から見た斜視図である。
【図５】前側筐体を背面側から見た斜視図である。
【発明を実施するための形態】
【００１２】
以下、本発明の実施形態を図面に基づいて説明する。図２及び図３は、本発明の実施形態に係る携帯端末としての携帯電話機１を示し、この携帯電話機１は、透明又は半透明のガラス板よりなるフロントパネル２が正面側に設けられた前側筐体３を備えている。例えばこのフロントパネル２は、前側筐体３にインサート成形されている。図５にも示すように、前側筐体３は、矩形板状のフロントパネル２の周囲が樹脂部分３ａで覆われている。樹脂部分３ａの上側左右には、一対の筐体側ボス部３ｂが一体に設けられている。樹脂部分３ａの下側左右には、ボス部が設けられず、その代わりに背面から見て下側に円弧状の溝部を有する被係合部３ｃが一体に形成されている。
【００１３】
図１（ｂ）及び図３に示すように、前側筐体３、すなわちフロントパネル２の背面には、入力装置としてのタッチパネル４が図示しない両面テープ等により貼り付けられている。タッチパネル４の下端から信号線としてのタッチパネル用フレキシブル基板４ａが延びている。
【００１４】
タッチパネル４の背面には、同じく表示装置としての液晶表示装置５が図示しない両面テープ等により貼り付けられている。図３に示すように、液晶表示装置５の下端からは、信号線としての液晶用フレキシブル基板５ａが延びている。
【００１５】
図４にも示すように、液晶表示装置５の背面側には、例えば矩形板状のステンレス薄板よりなるフレーム６ａがインサート成形されたボス部品６が設けられている。ボス部品６は、その下側左右に一対の別体ボス部６ｂが一体に形成されている。図１（ｂ）にも示すように、別体ボス部６ｂは、例えば内部にナット６ｆが埋め込まれ、被係合部３ｃの円弧状溝部に嵌合する、鍔状の下側係合部６ｃを有する。ボス部品６の上側左右には、筐体側ボス部３ｂが嵌め込まれる上側係合部６ｄが形成されている。図４に示すように、別体ボス部６ｂの左右内側は、フレーム６ａが設けられておらず、基板挿通部６ｅが形成されている。
【００１６】
図３に示すように、ボス部品６の背面側には、矩形板状のメイン基板７が設けられている。詳しくは図示しないが、このメイン基板７の正面側には、タッチパネル用フレキシブル基板４ａ及び液晶用フレキシブル基板５ａが接続される端子が設けられている。
【００１７】
そして、図１（ｂ）及び図３にも示すように、筐体側ボス部３ｂ及び別体ボス部６ｂにビス８を締結することで、前側筐体３に後側筐体９が結合されるようになっている。
【００１８】
後側筐体９の下側には、バッテリ１０が内蔵され、そのバッテリ１０を含めて後側筐体９の背面がリアカバー１１で覆われている。
【００１９】
次いで、本発明の実施形態に係る携帯電話機１の組立手順について説明する。まず、ガラス板よりなるフロントパネル２をインサート成形した前側筐体３を用意する。
【００２０】
次いで、その前側筐体３の背面にタッチパネル４を貼り付け、その背面側に液晶表示装置５を貼り付ける。このとき、タッチパネル用フレキシブル基板４ａ及び液晶用フレキシブル基板５ａは下方へ延びている。
【００２１】
次いで、前側筐体３の背面にフレーム６ａがインサート成形されたボス部品６を嵌め込む。具体的には、下側係合部６ｃを被係合部３ｃに係合させながら、上側係合部６ｄに筐体側ボス部３ｂを嵌め込む。これにより、前側筐体３とボス部品６とが一体に結合される。
【００２２】
次いで、タッチパネル用フレキシブル基板４ａ及び液晶用フレキシブル基板５ａを折り曲げてボス部品６下端の基板挿通部６ｅを通すと共に、その先端をメイン基板７に接続する。
【００２３】
次いで、メイン基板７を覆うように背面側から後側筐体９を嵌め込み、ビス８を筐体側ボス部３ｂ及び別体ボス部６ｂに結合する。
【００２４】
そして、バッテリ１０を嵌め込んでリアカバー１１で覆う。
【００２５】
このように構成した本実施形態では、以下の効果が発揮される。すなわち、前側筐体３におけるタッチパネル用フレキシブル基板４ａ及び液晶用フレキシブル基板５ａが設けられる側には筐体側ボス部３ｂを設けていないので、タッチパネル４及び液晶表示装置５を貼り付けるときに、その配線作業が極めて容易である。また、別体ボス部６ｂをボス部品６に設け、そのボス部品６を前側筐体３に嵌合させることで、前側筐体３に設けた筐体側ボス部３ｂと、別体ボス部６ｂとで、後側筐体９をビス８にて結合することができ、必要に応じてビス８を取り外せば、筐体の分解が可能となる。
【００２６】
また、ボス部品６に前側筐体３の被係合部３ｃに対して嵌め込まれる下側係合部６ｃと筐体側ボス部３ｂが嵌め込まれる上側係合部６ｄとを設けたので、ボス部品６を前側筐体３に容易に固定することができる。
【００２７】
また、ボス部品６に剛性の高い薄板状のフレーム６ａをインサート成形し、別体ボス部６ｂをフレーム６ａ周縁の樹脂部分に形成したことにより、携帯電話機１のサイズをできるだけ小さくしながら、必要な強度を確保することができる。
【００２８】
また、タッチパネル用フレキシブル基板４ａと液晶用フレキシブル基板５ａとを筐体側ボス部３ｂのない基板挿通部６ｅを通して背面側に折り曲げてメイン基板７に接続するようにしたことにより、さらに配線が容易となって組立作業に手間取らない。
【００２９】
したがって、本実施形態に係る携帯電話機１によると、前側筐体３の上側に形成した筐体側ボス部３ｂと、この前側筐体３に嵌合されるボス部品６のタッチパネル用フレキシブル基板４ａ及び液晶用フレキシブル基板５ａが延びる下側に設けた別体ボス部６ｂとにビス８を締結して前側筐体３と後側筐体９とを結合するようにしたことにより、組立容易で且つ必要に応じて分解可能な筐体を有する携帯端末を得ることができる。
【００３０】
（その他の実施形態）
本発明は、上記実施形態について、以下のような構成としてもよい。
【００３１】
すなわち、上記実施形態では、携帯電話機１は、表示装置として液晶表示装置５を有しているとしたが、有機ＥＬディスプレイ装置を有していてもよく、また、入力装置となるタッチパネル４を有さず、液晶表示装置５や有機ＥＬディスプレイ装置のみを有するものでもよい。さらにタッチパネル４のみをフロントパネル２に貼り付け、液晶表示装置５を前側筐体３の背面に嵌め込んでもよい。
【００３２】
また、上記実施形態では、フロントパネル２は、ガラス板としたが、透明又は半透明のアクリル樹脂等でフロントパネル２と前側筐体３を一体に成形し、表示部の外側を塗装したり、フロントパネル２を透明又は半透明のアクリル樹脂で、周囲の筐体を不透明の樹脂で二色成形したりしてもよい。
【００３３】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３５】
１      携帯電話機（携帯端末）
２      フロントパネル
３      前側筐体
３ａ    樹脂部分
３ｂ    筐体側ボス部
３ｃ    被係合部
４      タッチパネル（入力装置）
４ａ    タッチパネル用フレキシブル基板（信号線）
５      液晶表示装置（表示装置）
５ａ    液晶用フレキシブル基板（信号線）
６      ボス部品
６ａ    フレーム
６ｂ    別体ボス部
６ｃ    下側係合部
６ｄ    上側係合部
６ｅ    基板挿通部
６ｆ    ナット
７      メイン基板
８      ビス
９      後側筐体
１０      バッテリ
１１      リアカバー
【図１】
2014220733.tif 000003
【図２】
2014220733.tif 000004
【図３】
2014220733.tif 000005
【図４】
2014220733.tif 000006
【図５】
2014220733.tif 000007